(57)【特許請求の範囲】
【請求項１】
文書画像と媒体の識別情報とが印刷された当該媒体へのユーザの筆記操作に関連した情報である筆跡情報を生成する筆跡情報生成手段と、
前記媒体から前記識別情報を読み取る読取手段と、
前記識別情報と前記文書画像の元となる電子文書と前記筆跡情報生成手段にて生成された前記筆跡情報とを対応付けて記憶する記憶手段と、
前記媒体に電子情報に基づく画像を追加して形成する画像形成手段と、
前記画像形成手段から前記電子情報を取得する電子情報取得手段と、
前記読取手段にて読み取られた前記識別情報に基づいて前記記憶手段に記憶された前記電子文書を特定して、当該電子文書に、前記電子情報取得手段にて取得された前記電子情報を追加する電子情報追加手段と、
前記媒体に前記電子情報に基づかない画像が追加して形成された場合に、前記読取手段にて読み取られた前記識別情報に基づいて前記記憶手段に記憶された前記電子文書を特定して、当該媒体から読み取られた画像から当該電子文書の画像を除去することにより得られた画像が電子化された情報を取得し、当該読取手段にて読み取られた当該識別情報に基づいて当該記憶手段に記憶された前記筆跡情報を特定して、当該筆跡情報を、当該筆跡情報に当該情報が付加された画像情報で差し替える画像情報差替手段と
を備えたことを特徴とする文書管理システム。
【請求項２】
前記電子情報追加手段は、前記電子文書に前記電子情報が追加された新規な電子文書を形成し、当該新規な電子文書を前記識別情報と前記筆跡情報とに対応付けて前記記憶手段に記憶するか、または、当該電子情報を当該電子文書と当該識別情報と当該筆跡情報とに対応付けて当該記憶手段に記憶することを特徴とする請求項１記載の文書管理システム。
【請求項３】
前記記憶手段に記憶された前記筆跡情報を前記画像情報で差し替えることのユーザからの指示入力を受け付ける指示入力受付手段をさらに備え、
前記画像情報差替手段は、前記指示入力受付手段にてユーザからの前記指示入力を受け付けた場合に前記筆跡情報を前記画像情報で差し替えることを特徴とする請求項１記載の文書管理システム。
【請求項４】
文書画像と媒体の識別情報とが印刷された当該媒体へのユーザの筆記操作に関連した情報である筆跡情報を生成する筆跡情報生成手段と、
前記媒体から前記識別情報を読み取る読取手段と、
前記識別情報と前記文書画像の元となる電子文書と前記筆跡情報生成手段にて生成された前記筆跡情報とを対応付けて記憶する記憶手段と、
前記媒体に電子情報に基づく画像を追加して形成する画像形成手段と、
前記画像形成手段に前記電子情報を送信する送信手段と、
前記送信手段から前記電子情報を取得する電子情報取得手段と、
前記読取手段にて読み取られた前記識別情報に基づいて前記記憶手段に記憶された前記電子文書を特定して、当該電子文書に、前記電子情報取得手段にて取得された前記電子情報を追加する電子情報追加手段と、
前記媒体に前記電子情報に基づかない画像が追加して形成された場合に、前記読取手段にて読み取られた前記識別情報に基づいて前記記憶手段に記憶された前記電子文書を特定して、当該媒体から読み取られた画像から当該電子文書の画像を除去することにより得られた画像が電子化された情報を取得し、当該読取手段にて読み取られた当該識別情報に基づいて当該記憶手段に記憶された前記筆跡情報を特定して、当該筆跡情報を、当該筆跡情報に当該情報が付加された画像情報で差し替える画像情報差替手段と
を備えたことを特徴とする文書管理システム。
【請求項５】
前記読取手段は、前記筆跡情報生成手段であることを特徴とする請求項４記載の文書管理システム。
【請求項６】
前記電子情報追加手段は、前記電子文書に前記電子情報が追加された新規な電子文書を形成し、当該新規な電子文書を前記識別情報と前記筆跡情報とに対応付けて前記記憶手段に記憶するか、または、当該電子情報を当該電子文書と当該識別情報と当該筆跡情報とに対応付けて当該記憶手段に記憶することを特徴とする請求項４記載の文書管理システム。
【請求項７】
前記記憶手段に記憶された前記筆跡情報を前記画像情報で差し替えることのユーザからの指示入力を受け付ける指示入力受付手段をさらに備え、
前記画像情報差替手段は、前記指示入力受付手段にてユーザからの前記指示入力を受け付けた場合に前記筆跡情報を前記画像情報で差し替えることを特徴とする請求項４記載の文書管理システム。
【請求項８】
文書画像と媒体の識別情報とが印刷された当該媒体へのユーザの筆記操作に関連した情報である筆跡情報を取得する筆跡情報取得手段と、
前記媒体から読み取られた当該媒体の前記識別情報を取得する識別情報取得手段と、
前記識別情報と前記文書画像の元となる電子文書と前記筆跡情報取得手段にて取得された前記筆跡情報とを対応付けて記憶する記憶手段と、
前記媒体に電子情報に基づく画像が追加して形成された場合に、当該媒体に当該画像を形成した画像形成手段または当該画像形成手段に当該電子情報を送信した送信手段から当該電子情報を取得し、前記識別情報取得手段にて取得された前記識別情報に基づいて前記記憶手段に記憶された前記電子文書を特定して当該電子文書に当該電子情報を追加する電子情報追加手段と、
前記媒体に前記電子情報に基づかない画像が追加して形成された場合に、前記識別情報取得手段にて取得された前記識別情報に基づいて前記記憶手段に記憶された前記電子文書を特定して、当該媒体から読み取られた画像から当該電子文書の画像を除去することにより得られた画像が電子化された情報を取得し、当該識別情報取得手段にて取得された当該識別情報に基づいて当該記憶手段に記憶された前記筆跡情報を特定して、当該筆跡情報を、当該筆跡情報に当該情報が付加された画像情報で差し替える画像情報差替手段と
を備えたことを特徴とする文書管理装置。
【請求項９】
前記電子情報追加手段は、前記電子文書に前記電子情報が追加された新規な電子文書を形成し、当該新規な電子文書を前記識別情報と前記筆跡情報とに対応付けて前記記憶手段に記憶するか、または、当該電子情報を当該電子文書と当該識別情報と当該筆跡情報とに対応付けて当該記憶手段に記憶することを特徴とする請求項８記載の文書管理装置。
【請求項１０】
前記記憶手段に記憶された前記筆跡情報を前記画像情報で差し替える指示を受け付ける差替指示受付手段をさらに備え、
前記画像情報差替手段は、前記差替指示受付手段にて前記指示を受け付けた場合に前記筆跡情報を前記画像情報で差し替えることを特徴とする請求項８記載の文書管理装置。
【請求項１１】
コンピュータに、
文書画像と媒体の識別情報とが印刷された当該媒体へのユーザの筆記操作に関連した情報である筆跡情報を取得し、当該筆跡情報を当該識別情報と当該文書画像の元となる電子文書とに対応付けて記憶する記憶手段に記憶させる機能と、
前記媒体から読み取られた当該媒体の前記識別情報を取得する機能と、
前記媒体に電子情報に基づく画像が追加して形成された場合に、当該媒体に当該画像を形成した画像形成手段または当該画像形成手段に当該電子情報を送信した送信手段から当該電子情報を取得し、取得された前記識別情報に基づいて前記記憶手段に記憶された前記電子文書を特定して当該電子文書に当該電子情報を追加する機能と、
前記媒体に前記電子情報に基づかない画像が追加して形成された場合に、取得された前記識別情報に基づいて前記記憶手段に記憶された前記電子文書を特定して、当該媒体から読み取られた画像から当該電子文書の画像を除去することにより得られた画像が電子化された情報を取得し、取得された当該識別情報に基づいて当該記憶手段に記憶された前記筆跡情報を特定して、当該筆跡情報を、当該筆跡情報に当該情報が付加された画像情報で差し替える機能と
を実現させるためのプログラム。
【発明の詳細な説明】
【技術分野】
【０００１】
本発明は、文書管理システム、文書管理装置およびプログラムに関する。
【背景技術】
【０００２】
近年、用紙上に筆記された文字や図形等が電子データに変換され、これがパソコンや携帯電話等に転送されて、筆記内容がそのまま保存されたり、メールとして送信される技術が注目されている。
かかる技術では、表面にそれぞれ異なるパターンで形成された微細なドットが印刷された特殊な用紙と、例えば撮像素子が内蔵されたペンデバイスとが用いられる。そして、ペンデバイスによりこの特殊用紙上に筆記が行われると、筆記された文字や図形等の位置のドットパターンが撮像素子に読み込まれ、文字や図形等の位置(描画トレース)の座標が特定される。それにより、筆記された文字や図形等からなる電子文書の生成や、所定の電子文書への文字や図形等の付加等が可能となる(例えば、特許文献１参照)。
【０００３】
【特許文献１】特開２００４−９４９０７号公報(第１２−１４頁)
【発明の開示】
【発明が解決しようとする課題】
【０００４】
ここで一般に、筆記された文字や図形等からなる電子文書や、文字や図形等が付加された電子文書が印刷された媒体に対し、新たに別の文書画像が追加して印刷される場合がある。また、上記のペンデバイスではなくボールペン等の一般的な筆記具により追加して筆記される場合がある。このような場合には、媒体に元々印刷された文書画像を構成する電子文書と、媒体に実際に形成されている文書画像とは一致しない事態が発生する。
本発明は、電子文書が印刷された媒体に対して新たに別の文書画像が追加して付加された場合に、媒体に元々印刷された文書画像を構成する電子文書と、媒体に実際に形成されている文書画像との一致性を維持することを目的とする。
【課題を解決するための手段】
【０００５】
請求項１に記載の発明は、文書画像と媒体の識別情報とが印刷された当該媒体へのユーザの筆記操作に関連した情報である筆跡情報を生成する筆跡情報生成手段と、前記媒体から前記識別情報を読み取る読取手段と、前記識別情報と前記文書画像の元となる電子文書と前記筆跡情報生成手段にて生成された前記筆跡情報とを対応付けて記憶する記憶手段と、前記媒体に電子情報に基づく画像を追加して形成する画像形成手段と、前記画像形成手段から前記電子情報を取得する電子情報取得手段と、前記読取手段にて読み取られた前記識別情報に基づいて前記記憶手段に記憶された前記電子文書を特定して、当該電子文書に、前記電子情報取得手段にて取得された前記電子情報を追加する電子情報追加手段と、前記媒体に前記電子情報に基づかない画像が追加して形成された場合に、前記読取手段にて読み取られた前記識別情報に基づいて前記記憶手段に記憶された前記電子文書を特定して、当該媒体から読み取られた画像から当該電子文書の画像を除去することにより得られた画像が電子化された情報を取得し、当該読取手段にて読み取られた当該識別情報に基づいて当該記憶手段に記憶された前記筆跡情報を特定して、当該筆跡情報を、当該筆跡情報に当該情報が付加された画像情報で差し替える画像情報差替手段とを備えたことを特徴とする文書管理システムである。
請求項２に記載の発明は、前記電子情報追加手段は、前記電子文書に前記電子情報が追加された新規な電子文書を形成し、当該新規な電子文書を前記識別情報と前記筆跡情報とに対応付けて前記記憶手段に記憶するか、または、当該電子情報を当該電子文書と当該識別情報と当該筆跡情報とに対応付けて当該記憶手段に記憶することを特徴とする請求項１記載の文書管理システムである。
請求項３に記載の発明は、前記記憶手段に記憶された前記筆跡情報を前記画像情報で差し替えることのユーザからの指示入力を受け付ける指示入力受付手段をさらに備え、前記画像情報差替手段は、前記指示入力受付手段にてユーザからの前記指示入力を受け付けた場合に前記筆跡情報を前記画像情報で差し替えることを特徴とする請求項１記載の文書管理システムである。
【０００６】
請求項４に記載の発明は、文書画像と媒体の識別情報とが印刷された当該媒体へのユーザの筆記操作に関連した情報である筆跡情報を生成する筆跡情報生成手段と、前記媒体から前記識別情報を読み取る読取手段と、前記識別情報と前記文書画像の元となる電子文書と前記筆跡情報生成手段にて生成された前記筆跡情報とを対応付けて記憶する記憶手段と、前記媒体に電子情報に基づく画像を追加して形成する画像形成手段と、前記画像形成手段に前記電子情報を送信する送信手段と、前記送信手段から前記電子情報を取得する電子情報取得手段と、前記読取手段にて読み取られた前記識別情報に基づいて前記記憶手段に記憶された前記電子文書を特定して、当該電子文書に、前記電子情報取得手段にて取得された前記電子情報を追加する電子情報追加手段と、前記媒体に前記電子情報に基づかない画像が追加して形成された場合に、前記読取手段にて読み取られた前記識別情報に基づいて前記記憶手段に記憶された前記電子文書を特定して、当該媒体から読み取られた画像から当該電子文書の画像を除去することにより得られた画像が電子化された情報を取得し、当該読取手段にて読み取られた当該識別情報に基づいて当該記憶手段に記憶された前記筆跡情報を特定して、当該筆跡情報を、当該筆跡情報に当該情報が付加された画像情報で差し替える画像情報差替手段とを備えたことを特徴とする文書管理システムである。
請求項５に記載の発明は、前記読取手段は、前記筆跡情報生成手段であることを特徴とする請求項４記載の文書管理システムである。
請求項６に記載の発明は、前記電子情報追加手段は、前記電子文書に前記電子情報が追加された新規な電子文書を形成し、当該新規な電子文書を前記識別情報と前記筆跡情報とに対応付けて前記記憶手段に記憶するか、または、当該電子情報を当該電子文書と当該識別情報と当該筆跡情報とに対応付けて当該記憶手段に記憶することを特徴とする請求項４記載の文書管理システムである。
請求項７に記載の発明は、前記記憶手段に記憶された前記筆跡情報を前記画像情報で差し替えることのユーザからの指示入力を受け付ける指示入力受付手段をさらに備え、前記画像情報差替手段は、前記指示入力受付手段にてユーザからの前記指示入力を受け付けた場合に前記筆跡情報を前記画像情報で差し替えることを特徴とする請求項４記載の文書管理システムである。
【０００７】
請求項８に記載の発明は、文書画像と媒体の識別情報とが印刷された当該媒体へのユーザの筆記操作に関連した情報である筆跡情報を取得する筆跡情報取得手段と、前記媒体から読み取られた当該媒体の前記識別情報を取得する識別情報取得手段と、前記識別情報と前記文書画像の元となる電子文書と前記筆跡情報取得手段にて取得された前記筆跡情報とを対応付けて記憶する記憶手段と、前記媒体に電子情報に基づく画像が追加して形成された場合に、当該媒体に当該画像を形成した画像形成手段または当該画像形成手段に当該電子情報を送信した送信手段から当該電子情報を取得し、前記識別情報取得手段にて取得された前記識別情報に基づいて前記記憶手段に記憶された前記電子文書を特定して当該電子文書に当該電子情報を追加する電子情報追加手段と、前記媒体に前記電子情報に基づかない画像が追加して形成された場合に、前記識別情報取得手段にて取得された前記識別情報に基づいて前記記憶手段に記憶された前記電子文書を特定して、当該媒体から読み取られた画像から当該電子文書の画像を除去することにより得られた画像が電子化された情報を取得し、当該識別情報取得手段にて取得された当該識別情報に基づいて当該記憶手段に記憶された前記筆跡情報を特定して、当該筆跡情報を、当該筆跡情報に当該情報が付加された画像情報で差し替える画像情報差替手段とを備えたことを特徴とする文書管理装置である。
【０００８】
請求項９に記載の発明は、前記電子情報追加手段は、前記電子文書に前記電子情報が追加された新規な電子文書を形成し、当該新規な電子文書を前記識別情報と前記筆跡情報とに対応付けて前記記憶手段に記憶するか、または、当該電子情報を当該電子文書と当該識別情報と当該筆跡情報とに対応付けて当該記憶手段に記憶することを特徴とする請求項８記載の文書管理装置である。
請求項１０に記載の発明は、前記記憶手段に記憶された前記筆跡情報を前記画像情報で差し替える指示を受け付ける差替指示受付手段をさらに備え、前記画像情報差替手段は、前記差替指示受付手段にて前記指示を受け付けた場合に前記筆跡情報を前記画像情報で差し替えることを特徴とする請求項８記載の文書管理装置である。
【０００９】
請求項１１に記載の発明は、コンピュータに、文書画像と媒体の識別情報とが印刷された当該媒体へのユーザの筆記操作に関連した情報である筆跡情報を取得し、当該筆跡情報を当該識別情報と当該文書画像の元となる電子文書とに対応付けて記憶する記憶手段に記憶させる機能と、前記媒体から読み取られた当該媒体の前記識別情報を取得する機能と、前記媒体に電子情報に基づく画像が追加して形成された場合に、当該媒体に当該画像を形成した画像形成手段または当該画像形成手段に当該電子情報を送信した送信手段から当該電子情報を取得し、取得された前記識別情報に基づいて前記記憶手段に記憶された前記電子文書を特定して当該電子文書に当該電子情報を追加する機能と、前記媒体に前記電子情報に基づかない画像が追加して形成された場合に、取得された前記識別情報に基づいて前記記憶手段に記憶された前記電子文書を特定して、当該媒体から読み取られた画像から当該電子文書の画像を除去することにより得られた画像が電子化された情報を取得し、取得された当該識別情報に基づいて当該記憶手段に記憶された前記筆跡情報を特定して、当該筆跡情報を、当該筆跡情報に当該情報が付加された画像情報で差し替える機能とを実現させるためのプログラムである。
【発明の効果】
【００１０】
本発明の請求項１によれば、電子文書が印刷された媒体に対して新たに別の文書画像が追加して付加された場合に、媒体に元々印刷された文書画像を構成する電子文書と、媒体に実際に形成されている文書画像との一致性を維持することができる。
本発明の請求項２によれば、新たに追加された電子情報を元の電子文書に反映させることができる。
本発明の請求項３によれば、媒体に電子情報に基づかない画像が追加された場合に、ユーザの任意により画像情報を元の筆跡情報に反映させることができるので、重要度の低い画像を記録手段から除外しておくことができる。
本発明の請求項４によれば、電子文書が印刷された媒体に対して新たに別の文書画像が追加して付加された場合に、媒体に元々印刷された文書画像を構成する電子文書と、媒体に実際に形成されている文書画像との一致性を維持することができる。
本発明の請求項５によれば、本発明を採用しない場合に比べて、筆跡情報生成手段を読取手段として兼用できるので、システム構成を簡略化することができる。
本発明の請求項６によれば、新たに追加された電子情報を元の電子文書に反映させることができる。
本発明の請求項７によれば、媒体に電子情報に基づかない画像が追加された場合に、ユーザの任意により画像情報を元の筆跡情報に反映させることができるので、重要度の低い画像を記録手段から除外しておくことができる。
【００１１】
本発明の請求項８によれば、電子文書が印刷された媒体に対して新たに別の文書画像が追加して付加された場合に、媒体に元々印刷された文書画像を構成する電子文書と、媒体に実際に形成されている文書画像との一致性を維持することができる。
本発明の請求項９によれば、新たに追加された電子情報を元の電子文書に反映させることができる。
本発明の請求項１０によれば、媒体に電子情報に基づかない画像が追加された場合に、ユーザの任意により画像情報を元の筆跡情報に反映させることができるので、重要度の低い画像を記憶手段から除外しておくことができる。
【００１２】
本発明の請求項１１によれば、電子文書が印刷された媒体に対して新たに別の文書画像が追加して付加された場合に、媒体に元々印刷された文書画像を構成する電子文書と、媒体に実際に形成されている文書画像との一致性を維持することができる。
【発明を実施するための最良の形態】
【００１３】
以下、添付図面を参照して、本発明を実施するための最良の形態(以下、「実施の形態」という)について詳細に説明する。
まず、本実施の形態における文書管理システムの全体構成について説明する。
図１は、本実施の形態の文書管理システムの構成の一例を示した図である。図１に示したように、この文書管理システムは、端末装置１０と、文書サーバ２０と、識別情報サーバ３０と、画像形成装置４０と、端末装置５０とがネットワーク８０に接続されることにより構成されている。また、端末装置５０には、デジタルペン６０が通信装置７０を介して接続されている。
【００１４】
本実施の形態の筆跡情報処理システムでは、端末装置１０から電子文書の印刷要求が行われると、文書サーバ２０は端末装置１０からの印刷要求を受け取り、画像形成装置４０に対して印刷要求の対象となった電子文書の印刷指示を行う。それにより、画像形成装置４０は、この電子文書の文書画像を紙等の媒体に印刷するが、その際に、画像形成装置４０は文書画像に加えて符号画像を媒体上に印刷する。
ここでの符号画像とは、識別情報および位置情報を符号化して得られる識別符号および位置符号を画像化したものである。識別情報とは、媒体を一意に特定するための情報であり、識別情報サーバ３０が発行する。また、位置情報は、媒体上の座標位置を特定するための情報であり、文書サーバ２０が生成する。
そして、文書画像と符号画像とが印刷された媒体に対し、ユーザが筆跡情報生成手段の一例であるデジタルペン６０を用いて筆記すると、デジタルペン６０は符号画像に含まれる位置情報に基づいて手書き情報(筆跡情報)を生成する。またそれと同時に、デジタルペン６０は符号画像に含まれる識別情報を認識する。そして、認識された識別情報と筆跡情報とは、端末装置５０を介して文書サーバ２０に送られる。識別情報と筆跡情報とを受け取った文書サーバ２０は、識別情報に基づいて媒体に印刷された電子文書を特定し、この特定された電子文書と筆跡情報とを関連付けて記憶する。
【００１５】
なお、本明細書では、媒体に記録する画像の元となる電子データを「電子文書」と表記するが、これは、テキストを含む「文書」を電子化したデータのみを意味するものではない。例えば、絵、写真、図形等の画像データ(ラスタデータかベクターデータかによらない)、データベース管理ソフトウェアや表計算ソフトウェアで記録されるデータ、その他の印刷可能な電子データも含めて「電子文書」としている。
また、本明細書において、「媒体」は、画像を印刷可能な媒体であれば、その材質は問わない。代表例は紙であるが、ＯＨＰシートや金属板等であっても構わない。
さらに、本明細書では、電子文書、媒体、さらにはデジタルペン６０やユーザについて、それぞれを一意に識別するための識別情報を用いて処理を行うが、単に「識別情報」という場合には、媒体に関する識別情報を意味するものとする。すなわち、本実施の形態では、媒体に固有に付与される媒体識別情報の一例として、この識別情報を用いる。
【００１６】
続いて、本実施の形態の文書管理システムを構成する各構成要素について詳細に説明する。
端末装置１０は、文書サーバ２０に対して電子文書の印刷を要求するコンピュータ装置である。ここで、端末装置１０としては、例えば、パーソナルコンピュータやワークステーション、その他のコンピュータが用いられる。
文書サーバ２０は、電子文書を記憶し管理するコンピュータ装置である。また、端末装置１０から電子文書の印刷要求があると、電子文書の画像と、識別情報および位置情報を表す符号画像とを生成し、これらを合成した合成画像を媒体に印刷する印刷命令を画像形成装置４０に対して出力する。ここで、文書サーバ２０としては、例えば、パーソナルコンピュータやワークステーション、その他のコンピュータが用いられる。
【００１７】
識別情報サーバ３０は、媒体に付与する識別情報を発行するコンピュータ装置である。そして、発行した識別情報を、その識別情報が付与される媒体に印刷される電子文書と関連付けて記憶する。ここで、識別情報サーバ３０としては、例えば、パーソナルコンピュータやワークステーション、その他のコンピュータが用いられる。
画像形成装置４０は、媒体に画像を印刷し、印刷文書として出力する印刷装置(プリンタ)としての機能と、媒体に印刷された画像(符号画像を含む)を読み取る画像読取装置としての機能とを備えた所謂「複合機」が用いられる。ここで、画像形成装置４０における画像形成方式としては、例えば、電子写真方式を用いるのが好ましいが、その他の方式を用いてもよい。
【００１８】
端末装置５０は、印刷文書に対する筆記を電子化した情報(以下、「筆跡情報」という)を、印刷文書に記録された画像の元となる電子文書に反映させるために識別情報サーバ３０に送信するコンピュータ装置である。また、筆跡情報を反映する対象の電子文書をディスプレイ(不図示)に表示し、その上に筆跡情報を重ねて表示するようにしてもよい。ここで、端末装置５０としては、例えば、パーソナルコンピュータやワークステーション、その他のコンピュータが用いられる。なお、本実施の形態では、筆記の内容を電子化した筆跡情報の一例として、筆跡情報を用いている。また、筆跡情報を主に手書き情報として説明するが、これに限らず、例えば、建築や機械等の図面データを出力する装置であるプロッタ等によって機械的に描画された情報や、印鑑の印影等といった定型的な型ものにより形成された文字または図形に関する情報等を含むものである。
【００１９】
デジタルペン６０は、筆跡情報生成手段の一例であり、印刷文書上に文字または図形を筆記するために用いられるペンデバイスである。また、媒体に印刷された符号画像を読み取る撮像素子を備える。そして、撮像素子で読み取った符号画像から位置情報を検出し、筆記した文字または図形をイメージデータ化した筆跡情報をこの位置情報に基づいて生成し記憶する。
通信装置７０は、デジタルペン６０から筆跡情報を取得して端末装置５０に送信する装置である。例えば、デジタルペン６０を差し込む差込口を設け、この差込口にデジタルペン６０が差し込まれると、デジタルペン６０に記憶された筆跡情報を端末装置５０に送信するようにするとよい。ここで、端末装置５０との間の通信の方式としては、ＵＳＢ(Universal Serial Bus)、Ｂｌｕｅｔｏｏｔｈ(登録商標)、赤外線通信機能等、種々の方式が考えられる。また、図１では、通信装置７０をデジタルペン６０と別体のものとして示しているが、必ずしも別体である必要はなく、一体に構成してもよい。
【００２０】
引き続いて、文書管理システムを構成する各構成要素の詳細を説明する。
まず、文書サーバ２０の構成について説明する。
図２は、文書サーバ２０の機能構成の一例を示したブロック図である。図２に示したように、文書サーバ２０は、受信部２１と、識別情報取得部２２と、電子文書管理部２３と、筆跡情報管理部２４と、文書/筆跡情報記憶部２５とを備える。また、識別符号生成部２７ａと、位置符号生成部２７ｂと、符号配置部２７ｃと、パターン画像記憶部２７ｄと、符号画像生成部２７ｅとを備える。さらに、文書画像生成部２６と、画像合成部２８と、送信部２９とを備える。
【００２１】
受信部２１は、端末装置１０から印刷要求を受信する。ここで、印刷要求には、電子文書に加えて、印刷対象となる電子文書の識別情報(以下、「文書ＩＤ」という)と、印刷に関する各種設定(以下、「印刷設定」という)とが含まれる。文書ＩＤは、端末装置１０にて電子文書毎に付与されるが、文書サーバ２０にて付与してもよい。また、受信部２１は、印刷文書が印刷される媒体に固有に付与される識別情報を識別情報サーバ３０から受信する。さらに、印刷文書に対する筆記が行われた際には、識別情報サーバ３０から、印刷文書に埋め込まれた識別情報と、印刷文書に対する筆記の内容を電子化した筆跡情報とを受信する。さらには、電子文書に新たな内容の電子文書を追加する場合には、端末装置５０や画像形成装置４０から、印刷文書に埋め込まれた識別情報と、電子文書に追加された新たな電子文書とを受信する。また、筆跡情報を媒体に形成された新たな画像(印鑑の印影等)や筆跡等で差し替える場合には、画像形成装置４０から、印刷文書に埋め込まれた識別情報と、印刷文書に形成された新たな画像や筆跡等に関する画像情報とを受信する。
識別情報取得部２２は、受信部２１から文書ＩＤおよび印刷設定を取得し、これを送信部２９に渡して識別情報の発行要求の送信を指示し、これを文書画像生成部２６に渡して文書画像の生成を指示する。また、受信部２１から媒体の識別情報を取得し、これを識別符号生成部２７ａに渡して識別符号の生成を指示する。
【００２２】
電子文書管理部２３は、受信部２１が受信した識別情報と電子文書とを取得し、両者を対応付けて文書/筆跡情報記憶部２５に登録する。また、文書/筆跡情報記憶部２５に記憶された電子文書を複製した新たな電子文書(以下、「複製文書」という)を生成し、生成された複製文書を文書/筆跡情報記憶部２５に記憶する。また、電子文書または複製文書に新たな内容の電子文書を追加する処理を行い、これを文書/筆跡情報記憶部２５に記憶する。さらに、電子文書が追加された新たな電子文書のサムネイルを生成し、生成された新たなサムネイルを文書/筆跡情報記憶部２５に記憶する。したがって、電子文書管理部２３は電子情報追加手段として機能する。さらに、文書/筆跡情報記憶部２５に記憶された電子文書の印刷や表示が指示された際には、対応する電子文書と識別情報とを、文書/筆跡情報記憶部２５から取り出す。
【００２３】
筆跡情報管理部２４は、受信部２１が受信した識別情報と筆跡情報とを取得し、両者を対応付けて文書/筆跡情報記憶部２５に登録する。さらに、受信部２１が受信した追加された新たな画像や筆跡等に関する画像情報を取得し、文書/筆跡情報記憶部２５に記録された筆跡情報を取得した画像情報で差し替える処理を行う。したがって、電子文書管理部２３は画像情報差替手段として機能する。また、筆跡情報の表示が指示された際には、対応する識別情報と筆跡情報とを、文書/筆跡情報記憶部２５から取り出す。
文書/筆跡情報記憶部２５は、電子文書管理部２３によって管理される電子文書と、筆跡情報管理部２４によって管理される筆跡情報とを識別情報に関連付けてを記憶する。ここで、本実施の形態では、識別情報と電子文書と筆跡情報とを関連付けて記憶する記憶手段の一例として、文書/筆跡情報記憶部２５を設けている。
【００２４】
識別符号生成部２７ａは、媒体を特定する識別情報を符号化して識別符号を生成する。
位置符号生成部２７ｂは、媒体上の座標位置を示す位置情報を符号化して位置符号を生成する。
符号配置部２７ｃは、識別符号生成部２７ａにて生成された識別符号や、位置符号生成部２７ｂにて生成された位置符号等を所定のレイアウトに従って２次元平面に配置し２次元の符号配列を生成する。
パターン画像記憶部２７ｄは、符号配列に格納される各符号の符号値に対応するパターン画像を記憶する。
符号画像生成部２７ｅは、符号配置部２７ｃが生成した２次元の符号配列を参照し、各符号値に対応したパターン画像を選択して符号画像を生成する。
【００２５】
文書画像生成部２６は、識別情報取得部２２から文書ＩＤおよび印刷設定を取得し、この文書ＩＤで特定される電子文書を文書/筆跡情報記憶部２５から読み出し、印刷設定に従ってその電子文書の文書画像を生成する。
画像合成部２８は、符号画像生成部２７ｅが生成した符号画像と、文書画像生成部２６が生成した文書画像とを合成し、合成画像を生成する。
送信部２９は、識別情報サーバ３０に対して識別情報の発行要求を送信する。また、画像形成装置４０に対して媒体に対する画像の印刷命令を送信する。さらに、筆跡情報の表示が指示された際には、識別情報サーバ３０に対して識別情報と筆跡情報とを送信する。
【００２６】
ここで、本実施の形態の文書サーバ２０で生成される符号画像について説明する。
図３は、符号画像を構成する画像等の一例を示した図である。まず、符号画像を構成する単位パターンについて説明する。図３(ａ)は、単位パターンの一例を示したものである。
単位パターンとは、情報埋め込みの最小単位である。図３(ａ)では、黒塗りの領域と斜線の領域をドット配置可能な領域とし、その間にある白色の領域をドット配置不可能な領域としている。そして、ドット配置可能な領域のうち、黒塗りの領域にドットが配置され、斜線の領域にはドットが配置されていないことを示している。すなわち、図３(ａ)は、ドットを配置可能な９箇所の中から選択した２箇所(黒塗りの領域)にドットを配置することで単位パターンを構成した例を示したものである。ここで、９箇所の中から２箇所を選択する組み合わせは３６(＝９Ｃ２)通りなので、単位パターンは、３６種類存在する。このうち、４種類の単位パターンは、同期パターンとして使用される。同期パターンとは、画像の回転を検出したり、識別符号および位置符号の相対的な位置を特定したりするためのパターンである。特に、画像の回転を検出する必要があることから、４種類の同期パターンとしては、そのうちの１つの同期パターンを９０度回転するとそのうちの別の同期パターンになるようなものが選ばれる。また、この４種類の単位パターンを除く３２種類の単位パターンは、識別符号および位置符号を表現する情報パターンとして使用され、５ビットの情報が表現される。
【００２７】
ところで、図３(ａ)に示したドットは、あくまで情報表現のためのドットであり、画像を構成する最小の点を意味するドットとは必ずしも一致しない。本実施の形態において、情報表現のためのドット(図３(ａ)の最小の四角)は、６００ｄｐｉにおける２ドット×２ドットの大きさを有している。６００ｄｐｉにおける１ドットの大きさは０．０４２３ｍｍなので、情報表現のためのドット(図３(ａ)の最小の四角)の一辺は、８４．６μｍ(＝０．０４２３ｍｍ×２)である。情報表現のためのドットは、大きくなればなるほど目に付きやすくなるため、できるだけ小さいほうが好ましい。ところが、あまり小さくすると、プリンタで印刷できなくなってしまう。そこで、情報表現のためのドットの大きさとして、５０μｍより大きく１００μｍより小さい上記の値を採用している。ただし、上記の値８４．６μｍは、あくまで計算上の数値であり、実際に印刷されたトナー像では１００μｍ程度になる。なお、本明細書で「ドット」というときは、特に明示しない限り、画像を構成する最小の点を意味するドットではなく、情報表現のためのドットを指すものとする。
【００２８】
次に、このような単位パターンから構成される符号ブロックについて説明する。図３(ｂ)に、符号ブロックのレイアウトの一例を示す。なお、ここでは、画像ではなく、パターン画像によって置き換えられる直前の符号配列で示している。すなわち、図３(ｂ)の最小の四角(以下、「単位ブロック」という)に、図３(ａ)のような単位パターン(３６通りの単位パターンのいずれか)が配置され、その画像が媒体に形成されることになる。
図３(ｂ)のレイアウトでは、符号ブロックの左上の１つの単位ブロックに、同期符号が配置されている。また、同期符号が配置された単位ブロックの右側の４つの単位ブロックにＸ位置符号が配置され、同期符号が配置された単位ブロックの下側の４つの単位ブロックにＹ位置符号が配置されている。さらに、これらの位置符号が配置された単位ブロックに囲まれた１６(＝４×４)個の単位ブロックに識別符号が配置されている。
【００２９】
ここで、識別情報の符号化について述べる。
識別情報を符号化する場合、識別情報を構成するビット列は、ＲＳ符号化を行うために複数のブロックに分割される。符号化には、いくつかの方法があるが、本実施の形態では、ＲＳ符号化が適している。ＲＳ符号は多値の符号法であり、この場合、単位ブロックで表現される値がＲＳ符号の多値に対応するからである。例えば、１つの単位ブロックで５ビットの情報を表現する場合、６０ビットの識別情報は、ブロック長が５ビットの１２個のブロックに分割される。そして、２ブロックの誤りを訂正可能なＲＳ符号を採用したとすると、符号長は１６ブロックとなり、図３(ｂ)の符号ブロックにおける識別符号が配置される単位ブロックに収まることになる。なお、符号化方式はＲＳ符号に限定するものでなく、その他の符号化方式、例えば、ＢＣＨ符号等を使用してもよい。
【００３０】
引き続いて、位置情報の符号化について述べる。
位置情報の符号化には、擬似乱数系列の一種であるＭ系列符号が使用される。ここで、Ｍ系列とは、ある長さのシフトレジスタとフィードバックによって生成される符号系列とのうち、その周期が最長になる系列をいう。Ｋをシフトレジスタの段数とすると、Ｍ系列の系列長は２Ｋ−１となる。このＭ系列から取り出した任意の連続したＫビットは、同じＭ系列中の他の位置に現れない性質を持つ。そこで、この性質を利用して位置情報を符号化する。
ところで、本実施の形態では、符号化すべき位置情報の長さから、必要なＭ系列の次数を求め、Ｍ系列を生成している。しかしながら、符号化する位置情報の長さが予め分かっている場合は、Ｍ系列を毎回生成する必要はない。すなわち、固定のＭ系列を予め生成しておき、それをメモリ等に格納しておけばよい。
例えば、系列長８１９１のＭ系列(Ｋ＝１３)を使用したとする。この場合、位置符号も５ビット単位で埋め込むため、系列長８１９１のＭ系列から５ビットずつ取り出してブロック化する。
【００３１】
なお、本明細書では、説明を簡単にするために、識別情報と位置情報とは明確に区別して用いている。しかしながら、広範な位置情報を用意しておき、媒体ごとに異なる範囲から位置情報を切り出して埋め込み、位置情報の違いによって媒体を識別するという手法もある。そこで、このような手法においては、媒体を識別する機能が位置情報に備わっているものと見て、位置情報を識別情報としても考えるものとする。
【００３２】
次に、識別情報サーバ３０の構成について説明する。
図４は、識別情報サーバ３０の機能構成の一例を示したブロック図である。図４に示したように、識別情報サーバ３０は、受信部３１と、識別情報管理部３２と、識別情報記憶部３３と、表示情報生成部３４と、送信部３９とを備える。
受信部３１は、文書サーバ２０から識別情報の発行要求を受信する。また、受信部３１は、印刷文書に対する筆記が行われた際には、媒体の識別情報と筆跡情報とを端末装置５０から受信する。ここで、本実施の形態では、端末装置５０から媒体の識別情報と筆跡情報とを受信し、さらに筆跡情報の表示が指示された際に、文書サーバ２０から媒体の識別情報と筆跡情報とを受信する受信手段の一例として、受信部３１を設けている。
【００３３】
識別情報管理部３２は、識別情報の発行要求があると、識別情報を重複することなく発行し、その際に指定された文書ＩＤおよび印刷設定を識別情報に関連付けて記憶する。また、識別情報の指定を受けて、その識別情報に対応する文書ＩＤおよび印刷設定を取り出す。
識別情報記憶部３３は、識別情報を、その使用/未使用の状態、それが付与された媒体に印刷された電子文書の文書ＩＤ、それが付与された媒体に電子文書が印刷された際の印刷設定を関連付けて記憶するデータベースである。
表示情報生成部３４は、筆跡情報の表示が指示された際に、文書サーバ２０から取得した情報に基づいて、筆跡情報を表示するための表示情報を生成する。この表示情報としては、例えば、端末装置５０で表示するイメージを生成する元となるデータを生成する。
【００３４】
送信部３９は、文書サーバ２０からの要求に応じて発行した識別情報を文書サーバ２０に送信する。また、印刷文書に対する筆記が行われた際には、媒体の識別情報と筆跡情報とを文書サーバ２０に送信する。さらに、筆跡情報の表示が指示された際には、端末装置５０に対して表示情報を送信する。ここで、本実施の形態では、媒体の識別情報と筆跡情報とを送信する送信手段の一例として、送信部３９を設けている。
【００３５】
次に、デジタルペン６０について説明する。
図５は、デジタルペン６０の構成の一例を示した図である。図５に示したように、デジタルペン６０は、ペン全体の動作を制御する制御回路６１を備える。また、制御回路６１は、読み取った符号画像を処理する画像処理部６１ａと、画像処理部６１ａでの処理結果から識別情報および位置情報を抽出するデータ処理部６１ｂとを含む。
また、制御回路６１には、デジタルペン６０による筆記動作をペンチップ６９に加わる圧力によって検出する圧力センサ６２が接続されている。さらに、媒体上に赤外光を照射する赤外ＬＥＤ６３と、反射光を検知することによって符号画像を読み取る赤外ＣＭＯＳ６４も接続されている。さらにまた、識別情報および位置情報を記憶するための情報メモリ６５と、外部装置と通信するための通信回路６６と、ペンを駆動するためのバッテリ６７と、ペンの識別情報(ペンＩＤ)を記憶するペンＩＤメモリ６８とが接続されている。
【００３６】
制御回路６１において実現される機能構成について詳細に説明する。図６は、制御回路６１の機能構成の一例を示したブロック図である。なお、図６では、制御回路６１内の画像処理部６１ａとデータ処理部６１ｂとに分けて、機能構成例を示している。
図６に示したように、画像処理部６１ａは、画像取得部６１１と、ドット配列生成部６１２とを備える。また、データ処理部６１ｂは、符号配列生成部６１３と、識別情報取得部６１４と、位置情報取得部６１５と、筆跡情報生成部６１６と、送信部６１９とを備える。
【００３７】
画像取得部６１１は、赤外ＣＭＯＳ６４が印刷文書から読み取った符号画像を取得する。また、必要に応じて、符号画像に含まれるノイズを除去する。
ドット配列生成部６１２は、符号画像におけるドットの位置を参照して、ドット配列を生成する。すなわち、２次元の配列上で、例えば、ドットがある位置に「１」を、ドットがない位置に「０」を記憶することにより、画像として検出したドットをデジタルデータに置き換える。そして、この２次元の配列をドット配列として出力する。
【００３８】
符号配列生成部６１３は、ドット配列上で、符号ブロック内の単位パターンに対応するブロックを検出する。具体的には、単位パターンが配置されるブロックと同じ形状および大きさの枠をドット配列上で動かし、枠内のドット数が均等になる位置で枠を固定する。例えば、図３(ａ)の単位パターンを用いる場合であれば、３ドット×３ドットに対応する大きさの枠を動かし、枠内に含まれるドット数が２となる位置で枠を固定する。そして、その枠で区切られた各ブロック内のドット位置から定まる符号値を格納した符号配列を生成する。また、この符号配列が生成されると、予め定められた同期符号の符号値を検索することによって、同期符号の位置が特定される。
【００３９】
識別情報取得部６１４は、符号配列から同期符号の位置を基準にして識別符号を検出する。そして、画像生成時にＲＳ符号化処理で用いたパラメータを用いて識別符号を復号し、識別情報を取得する。
位置情報取得部６１５は、符号配列から同期符号の位置を基準にして位置符号を検出する。そして、位置符号からＭ系列の部分系列を取り出し、画像生成時に使用したＭ系列におけるこの部分系列の位置を参照し、この位置を同期符号によるオフセットで補正した値を位置情報として取得する。なお、オフセットで補正するのは、位置符号の間に同期符号が配置されているためである。
【００４０】
筆跡情報生成部６１６は、位置情報取得部６１５が取得した位置情報を連結して筆跡情報を生成する。ここで、筆跡情報には、少なくともデジタルペン６０のペン先の軌跡を電子化したデータが含まれるが、これ以外の情報を含んでもよい。ペン先の軌跡以外の情報としては、例えば、筆記した時にペンに設定されていた色の情報や、筆圧の情報等がある。
送信部６１９は、識別情報取得部６１４が取得した識別情報と、筆跡情報生成部６１６が生成した筆跡情報とを通信回路６６に渡すことで、通信装置７０への情報送信を実現する。ここで、本実施の形態では、媒体の識別情報と筆跡情報とを送信する送信手段の一例として、送信部６１９を設けている。
【００４１】
デジタルペン６０では、まず、赤外ＬＥＤ６３が媒体に対して赤外光を照射し、赤外ＣＭＯＳ６４がその反射光を受光することにより、符号画像を読み取る。そして、画像取得部６１１がこの読み取った符号画像を取得する。その際に、符号画像にノイズが含まれていれば、これを除去する。次に、ドット配列生成部６１２が、符号画像に含まれるドット位置をデジタルデータ化し、ドット配列を生成する。そして、符号配列生成部６１３が、ドット配列からブロックを検出し、ブロックごとの符号値を格納した符号配列を生成する。そして、符号配列において、同期符号の位置を特定する。その後、識別情報取得部６１４が、同期符号の位置に基づいて識別符号を検出し、これを復号して識別情報を取得する。また、位置情報取得部６１５が、同期符号の位置に基づいて位置符号を検出し、これを復号して位置情報を取得する。そして、筆跡情報生成部６１６が、位置情報を連結して筆跡情報を生成する。そして、送信部６１９が、これらの情報を通信装置７０および端末装置５０を介して識別情報サーバ３０へ送信する。
【００４２】
次に、画像形成装置４０の構成について説明する。
図７は、画像形成装置４０の構成の一例を示した図である。図７に示したように、画像形成装置４０は、媒体に画像を印刷し、印刷文書として出力する機能部として、電子写真方式を用いた所謂タンデム方式の画像形成機能部４１と、媒体に印刷された画像を読み取る機能部として、画像読取機能部４５とを備えている。
画像形成機能部４１は、媒体である用紙Ｐ１にトナーからなる画像（トナー画像）を形成する画像形成プロセス部１１０、画像形成装置４０全体の動作を制御する制御部１３０、文書サーバ２０との通信を制御する通信部１３１、文書サーバ２０や画像読取機能部４５から受信した画像データに所定の画像処理を施す画像処理部１３２、処理プログラム等が記憶される例えばハードディスク（Hard Disk Drive）にて実現される外部記憶部１３３を備える。
【００４３】
画像形成プロセス部１１０は、一定の間隔を置いて並列的に配置された、イエロー（Ｙ）、マゼンタ（Ｍ）、シアン（Ｃ）、黒（Ｋ）のトナー像をそれぞれ形成する画像形成部の一例としての４つの画像形成ユニット１１１Ｙ,１１１Ｍ,１１１Ｃ,１１１Ｋ(「画像形成ユニット１１１」とも総称する)を備える。
画像形成ユニット１１１は、矢印Ａ方向に回転しながら静電潜像が形成される感光体ドラム１１２、感光体ドラム１１２の表面を所定電位で一様に帯電する帯電ロール１１３、帯電ロール１１３によって帯電された感光体ドラム１１２を画像データに基づいて露光するプリントヘッド１１４、感光体ドラム１１２上に形成された静電潜像を現像する現像器１１５、感光体ドラム１１２表面を清掃するドラムクリーナ１１６を備える。この４つの画像形成ユニット１１１Ｙ,１１１Ｍ,１１１Ｃ,１１１Ｋ各々は、現像器１１５に収納されるトナーを除いて略同様に構成され、各画像形成ユニット１１１のそれぞれがイエロー(Ｙ)、マゼンタ(Ｍ)、シアン(Ｃ)、黒(Ｋ)のトナー像を形成する。
【００４４】
さらに、画像形成プロセス部１１０は、各画像形成ユニット１１１の各感光体ドラム１１２上に形成された各色トナー像が多重転写される中間転写ベルト１２０、各画像形成ユニット１１１の各色トナー像を中間転写ベルト１２０に順次転写する一次転写ロール１２１、中間転写ベルト１２０上に転写された重畳トナー像を二次転写部Ｔにて媒体である用紙Ｐ１に一括転写する二次転写ロール１２２、二次転写された画像を用紙Ｐ１上に定着させる定着器１２３を備えている。
【００４５】
本実施の形態の画像形成装置４０では、画像形成プロセス部１１０は、制御部１３０による制御の下で画像形成動作を行う。すなわち、通信部１３１を介して文書サーバ２０や画像読取機能部４５から入力された画像データ等は、画像処理部１３２によって所定の画像処理が施され、各色毎にプリントヘッド１１４に送られる。そして、例えば黒(Ｋ)色の画像形成ユニット１１１Ｋでは、帯電ロール１１３により所定電位で一様に帯電された感光体ドラム１１２の表面が、プリントヘッド１１４により画像処理部１３２からのＫ色画像データに基づいて露光され、感光体ドラム１１２上に静電潜像が形成される。形成された静電潜像は現像器１１５により現像され、感光体ドラム１１２上には黒(Ｋ)のトナー像が形成される。画像形成ユニット１１１Ｙ,１１１Ｍ,１１１Ｃにおいても、同様にして、イエロー(Ｙ)、マゼンタ(Ｍ)、シアン(Ｃ)の各色トナー像が形成される。
【００４６】
各画像形成ユニット１１１で形成された各色トナー像は、矢印Ｂ方向に循環移動する中間転写ベルト１２０上に、所定の一次転写バイアス電圧が印加された各一次転写ロール１２１により順次静電転写され、中間転写ベルト１２０上には重畳されたトナー像が形成される。重畳トナー像は、中間転写ベルト１２０の移動に伴って二次転写ロール１２２が配置された二次転写部Ｔに向けて搬送される。
一方、それに伴って、ピックアップロール１５１により用紙収容トレイ１５０から媒体としての用紙Ｐ１が取り出され、搬送ロール１５２によって搬送路Ｒを１枚ずつレジストロール１５３の位置まで搬送される。そして、中間転写ベルト１２０上の各色トナー像が二次転写部Ｔに搬送されるタイミングに合わせて、レジストロール１５３から用紙Ｐ１が繰り出される。それにより、各色トナー像は、二次転写ロール１２２により形成された転写電界の作用によって用紙Ｐ１上に一括して静電転写される。
【００４７】
その後、重畳トナー像が静電転写された用紙Ｐ１は、中間転写ベルト１２０から剥離され、定着器１２３まで搬送される。定着器１２３に搬送された用紙Ｐ１上の未定着トナー像は、定着器１２３によって加熱と加圧とによる定着処理を受けることで用紙Ｐ１上に定着される。そして、画像が形成された用紙Ｐ１は、搬出ロール１５５等によって画像形成装置４０の用紙排出部から排出される。
このようにして、画像形成装置４０での画像形成は、指定された枚数分だけ繰り返して実行される。
【００４８】
また、図８は、画像読取機能部４５の構成の一例を示した図である。図８に示したように、画像読取機能部４５は、媒体の識別情報を読み取る読取手段の一例であって、積載された原稿Ｍを順次搬送する原稿送り機構部４５０と、搬送された原稿Ｍから画像を読み込む読み取り機構部４７０とを備えている。
原稿送り機構部４５０では、原稿Ｍを積載する原稿収容部４５１からピックアップロール４５３により原稿Ｍが１枚ずつ取り出される。そして、複数の搬送ロール４５４が設けられた第１搬送路Ｌ１を通って、原稿Ｍが読み取り機構部４７０に設けられた原稿読み取り部Ｋに搬送される。原稿読み取り部Ｋには、プラテンロール４５５が配置され、原稿Ｍを原稿読み取り部Ｋに密着させながら搬送する。そして、原稿読み取り部Ｋでの原稿読み取りが終了した原稿Ｍは、原稿収容部４５２に搬出され収容される。
また、原稿送り機構部４５０には、原稿Ｍの両面に形成された画像を１プロセスで読み取るための第２搬送路Ｌ２や、原稿Ｍの両面読み取りを行った際に、その搬送時に原稿Ｍを再度反転させて原稿収容部４５２に搬出するための第３搬送路Ｌ３が設けられている。それにより、原稿Ｍの両面に形成された画像が読み取られる。
【００４９】
読み取り機構部４７０では、原稿送り機構部４５０によって搬送される原稿Ｍに形成された画像の読み取りを行う。この読み取り機構部４７０には、原稿読み取り部Ｋに設けられた第２プラテンガラス４７２Ｂの下に静止した状態で画像を読み込む動作と、第１プラテンガラス４７２Ａの全体に亘って移動しながら画像を読み取る動作とを行う第２画像読取部４７３、第２画像読取部４７３から得られた光を結像部へ供給する反射部４７４を備えている。
第２画像読取部４７３には、原稿Ｍの搬送方向上流側において、原稿Ｍに対して斜めに光を照射するとともに原稿Ｍからの反射光を受光する第１光源受光部４７５と、原稿Ｍの搬送方向下流側において、原稿Ｍに対して斜めに光を照射するとともに原稿Ｍからの反射光を受光する第２光源受光部４７６と、原稿Ｍから得られた拡散反射光を受光する第１ミラー４７７Ａとが備えられる。そして第２画像読取部４７３は、第１光源受光部４７５と第２光源受光部４７６とにおいて受光した原稿Ｍからの反射光を第２の画像信号(第２の画像データ)に変換する。
また、反射部４７４は、第１ミラー４７７Ａからの反射光を結像部へ導く第２ミラー４７７Ｂおよび第３ミラー４７７Ｃを備えている。さらに、読み取り機構部４７０には、結像用レンズ４７８およびＣＣＤ（Charge Coupled Device）イメージセンサにて構成された第１画像読取部４７９が備えられている。第１画像読取部４７９は、結像用レンズ７８によって結像された光学像を第１の画像信号(第１の画像データ)に変換する。
【００５０】
また読み取り機構部４７０は、制御/画像処理ユニット４９０を備えている。そして、制御/画像処理ユニット４９０は、第１画像読取部４７９から送られた原稿Ｍに関する第１の画像データ、および第２画像読取部４７３から送られた原稿Ｍに関する第２の画像データに対して、所定の画像処理を施す。また、画像読取機能部４５での読み取り動作を行う際の各部の動作を制御する。
図９は、制御/画像処理ユニット４９０の機能構成を示したブロック図である。この制御/画像処理ユニット４９０は、第１画像読取部４７９から送られる第１の画像データに基づき文書画像データを生成する第１信号処理部４９１、第２画像読取部４７３に設けられた第１光源受光部４７５および第２光源受光部４７６から送られる第２の画像データを解析し、媒体の識別情報を認識する第２信号処理部４９２、原稿送り機構部４５０および読み取り機構部４７０の動作を制御するスキャナ制御部４９３を備えている。そして、これら第１信号処理部４９１にて生成された文書画像データ、および第２信号処理部４９２にて認識された媒体の識別情報は、画像形成装置４０に送られる。
【００５１】
すなわち、画像読取機能部４５では、第１画像読取部４７９にて生成された第１の画像データにより、制御/画像処理ユニット４９０の第１信号処理部４９１が原稿Ｍに印刷された文書画像に関する画像データ(文書画像データ)を生成する。また、第２画像読取部４７３にて生成された第２の画像データにより、制御/画像処理ユニット４９０の第２信号処理部４９２が原稿Ｍに印刷された符号画像から媒体の識別情報を認識する。その際に、第２信号処理部４９２は、符号画像にノイズが含まれていれば、これを除去する。そして、信号処理部(第１信号処理部４９１および第２信号処理部４９２)は、文書画像データおよび媒体の識別情報を画像形成機能部４１の制御部１３０（図７参照）に送信する。
【００５２】
続いて、本実施の形態の筆跡情報処理システムにて電子文書に関して行われる各種処理について説明する。
[印刷文書の生成処理]
図１０は、筆跡情報処理システムにて印刷文書が生成される際の動作の一例を示したシーケンス図である。
まず、ユーザは端末装置１０から電子文書の印刷指示を文書サーバ２０に送信する(ステップ１０１)。その際には、端末装置１０は、印刷対象となる電子文書と、電子文書の識別情報(文書ＩＤ)と、ユーザが指定した印刷設定も送信する。ここで、印刷設定は、ページ、部数、用紙サイズ、Ｎアップ (電子文書のＮページを媒体の１ページに割り付ける印刷)、余白等の設定を含む。
【００５３】
文書サーバ２０は、端末装置１０から電子文書の印刷指示を受信する(ステップ２０１)。印刷指示に含まれる印刷対象となる電子文書は、電子文書管理部２３に送られ、電子文書管理部２３が、電子文書を文書ＩＤと関連付けて文書/筆跡情報記憶部２５に登録する(ステップ２０２)。
また、文書サーバ２０は、印刷を指示された電子文書の文書ＩＤと印刷設定とを識別情報サーバ３０に送信する(ステップ２０３)。ここで、文書ＩＤとしては、例えば、ＵＲＬ(Uniform Resource Locator)を用いるとよいが、電子文書を一意に特定することができるものであれば他の情報を用いてもよい。
それにより、識別情報サーバ３０は、文書ＩＤと印刷設定とを受信する(ステップ３０１)。そして、識別情報を管理する識別情報管理部３２が識別情報記憶部３３から未使用の識別情報を取得する(ステップ３０２)。ここで、取り出す識別情報の数は、印刷設定に応じて決められる。つまり、基本的には、印刷するページ数に印刷部数を乗じて得られる数の識別情報が取り出される。ただし、印刷設定情報の中に、Ｎアップ印刷の指定等がある場合は、それも考慮される。例えば、１０ページの電子文書を２アップ印刷で５部印刷する場合は、２５(＝１０÷２×５)個の識別情報が取り出される。
次に、識別情報サーバ３０は、識別情報と文書ＩＤと印刷設定とを関連付けて識別情報記憶部３３に登録する(ステップ３０３)。そして、識別情報サーバ３０は、文書サーバ２０に対し、識別情報を送信する(ステップ３０４)。
【００５４】
それにより、文書サーバ２０は、識別情報を受信する(ステップ２０４)。そして、識別情報および位置情報を表す符号画像を生成する(ステップ２０５)。
すなわち、文書サーバ２０では、受信部２１が識別情報を受信する。そして、受信部２１は、受信した識別情報を識別情報取得部２２に受け渡す。すると、まず識別情報取得部２２が、取得した識別情報を識別符号生成部２７ａに渡し、識別符号生成部２７ａが、上記した方法を用いて識別情報を符号化し、識別符号を生成する。
また、位置符号生成部２７ｂは、受信部２１から印刷設定を受け取り、印刷設定に応じた範囲の位置情報を上記した方法を用いて符号化し、位置符号を生成する。
そして、符号配置部２７ｃが、識別符号と位置符号とを所定のレイアウトに従って配置し、これを符号画像生成部２７ｅが、パターン画像記憶部２５ｄに記憶されたパターン画像を用いて画像化することで符号画像を生成する。
【００５５】
その後、文書サーバ２０では、文書画像生成部２６が、電子文書の文書画像を生成する(ステップ２０６)。その際に、文書画像生成部２６は、ステップ２０１で識別情報取得部２２が取得した文書ＩＤを受け取り、文書ＩＤに基づいて印刷対象となる電子文書を文書/筆跡情報記憶部２５から読み出す。また、ステップ２０１で識別情報取得部２２が取得した印刷設定を受け取り、これに基づいて文書画像を生成する。
そして、画像合成部２８は、ステップ２０５で生成された符号画像と、ステップ２０６で生成された文書画像とを合成し、合成画像を生成する(ステップ２０７)。
その後、合成画像は送信部２９に渡され、送信部２９が、合成画像の印刷命令を画像形成装置４０に送信する(ステップ２０８)。ここで、合成画像の印刷命令は、例えば、文書画像の印刷命令の列からなるＰＤＬ(Page Description Language)ファイルに対し、符号画像として印刷する内容をＰＤＬコマンドとして設定したＰＤＬの形式で送信される。
【００５６】
画像形成装置４０は、文書サーバ２０から合成画像(電子文書の文書画像および符号画像)を受信する(ステップ４０１)。そして、画像形成装置４０は、文書画像をＹ(イエロー)、Ｍ(マゼンタ)、Ｃ(シアン) により画像に展開する(ステップ４０２)。次に、文書画像は画像形成ユニット１１１Ｙ,１１１Ｍ,１１１ＣによりＣ、Ｍ、Ｙのトナーを用いて、符号画像は画像形成ユニット１１１ＫによりＫ(カーボンを含む黒)のトナーを用いて、それぞれ画像形成を行う(ステップ４０３)。
【００５７】
ところで、上述した例では、識別情報サーバ３０は識別情報を発行するだけで、文書サーバ２０が、識別情報を含む符号画像を生成し、画像形成装置４０に画像形成を指示する構成とした。しかしながら、識別情報サーバ３０が、符号画像を生成し、画像形成装置４０に画像形成を指示する構成としてもよい。
また、符号画像を画像形成装置４０で生成する構成を採用してもよい。その場合には、文書サーバ２０または識別情報サーバ３０が、電子文書から生成したＰＤＬに識別情報を付加して画像形成装置４０へ送信し、画像形成装置４０が識別情報を含む符号画像を生成することになる。
【００５８】
また、上記の例では、識別情報と文書ＩＤと印刷設定とが関連付けられて構成されたデータベース(識別情報記憶部３３)を識別情報サーバ３０に置く構成について説明した。これは、かかるデータベースを共有可能な装置(識別情報サーバ３０)に置くことで、複数ユーザへの対応や、サーバのアクセス制御技術を利用した電子文書のセキュリティ確保が可能となるからである。しかしながら、必ずしもこのような構成を採用する必要はなく、端末装置１０や文書サーバ２０に上記のデータベースを置く構成を採用してもよい。
【００５９】
また、上記した画像形成装置４０では、符号画像をＫ(カーボンを含む黒)のトナーを用いて形成するようにした。これは、Ｋのトナーが、Ｃ(シアン)、Ｍ(マゼンタ)、Ｙ(イエロー)のトナーよりも赤外光の吸収量が多く、デジタルペン６０での符号画像の読み取りが容易となるからである。しかしながら、符号画像は、特殊トナーを用いて形成することも可能である。
ここで、特殊トナーとしては、可視光領域(４００ｎｍ〜７００ｎｍ)における最大吸収率が７％以下であり、近赤外領域(８００ｎｍ〜１０００ｎｍ)における吸収率が３０％以上の不可視トナーが例示される。ここで、「可視」および「不可視」は、目視により認識できるかどうかとは関係しない。印刷文書における画像が可視光領域における特定の波長の吸収に起因する発色性の有無により認識できるかどうかで「可視」と「不可視」とを区別している。また、可視光領域における特定の波長の吸収に起因する発色性が若干あるが人間の目で認識し難いものも、「不可視」に含める。
【００６０】
なお、ここでは、電子文書の画像に符号画像を合成して印刷することとしたが、白紙(ノートや付箋等)に符号画像を印刷する構成としてもよい。その場合は、ステップ２０１で受信する印刷要求に文書ＩＤを含めないようにし、ステップ３０３で識別情報と文書ＩＤおよび印刷設定との関連付けを行わないようにし、ステップ２０６における文書画像の生成は実行しないようにすればよい。
【００６１】
[筆跡情報の登録処理]
次に、デジタルペン６０が筆跡情報を生成して文書サーバ２０に登録する際の動作について説明する。
上記したように、デジタルペン６０では、識別情報取得部６１４が識別情報を取得する。また、位置情報取得部６１５が位置情報を取得する。さらに、筆跡情報生成部６１６が位置情報を相互に連結して筆跡情報を生成する。そして、送信部６１９が、識別情報および筆跡情報を通信装置７０および端末装置５０を介して識別情報サーバ３０へ送信する。そして、識別情報サーバ３０が筆跡情報を文書サーバ２０に登録する。
図１１は、その際の識別情報サーバ３０および文書サーバ２０の動作の一例を示したシーケンス図である。
識別情報サーバ３０では、まず、筆跡情報を取得する筆跡情報取得手段の一例としての受信部３１が、デジタルペン６０からの識別情報および筆跡情報を受信する(ステップ３１１)。次に、識別情報および筆跡情報は識別情報管理部３２に渡され、識別情報管理部３２は、渡された識別情報に関連付けられた文書ＩＤを識別情報記憶部３３から取り出す。そして、ステップ３１１で受信した識別情報および筆跡情報の送信先となる文書サーバ２０(文書ＩＤで特定される電子文書が存在する文書サーバ２０)を決定する(ステップ３１２)。なお、識別情報記憶部３３において識別情報に文書ＩＤが関連付けられていなければ、その識別情報は白紙(ノートや付箋)に割り当てられたものであると考えられる。その場合は、白紙に対する筆跡情報を管理する文書サーバ２０を送信先として決定すればよい。
その後、識別情報および筆跡情報は送信部３９に渡され、送信部３９が、ステップ３１２で送信先として決定した文書サーバ２０に対し、識別情報および筆跡情報を送信する(ステップ３１３)。
【００６２】
これにより、文書サーバ２０では、受信部２１が、識別情報および筆跡情報を受信する(ステップ２１１)。そして、受信部２１は、受信した識別情報を筆跡情報管理部２４に渡す。すると、筆跡情報管理部２４は、識別情報と筆跡情報とを対応付けて文書/筆跡情報記憶部２５に記憶する(ステップ２１２)。
【００６３】
[電子文書に新たな電子情報を追加する追加処理]
次に、文書画像と符号画像とが形成された媒体に新たに追加印刷された画像が電子情報に基づくものであった場合に、追加印刷された新たな画像の元となった電子情報を文書サーバ２０に記憶された電子文書に追加登録する際の動作について説明する。
文書画像と符号画像とが形成された媒体に対して、例えば決済処理が行われて、認証印が電子的に媒体上に捺印される場合がある。また、例えば決済処理プログラム等のアプリケーションソフトにより、決済処理が行われた日付等が媒体上に自動的に追加印刷される場合がある。このような場合には、文書サーバ２０の文書/筆跡情報記憶部２５に登録された電子文書や筆跡情報と、実際の媒体上に形成されている印刷文書とが一致しないこととなる。そこで、本実施の形態の筆跡情報処理システムでは、印刷文書に新たな画像等が追加印刷された場合には、追加された画像等の元となった電子情報を文書/筆跡情報記憶部２５に記憶されている電子文書に追加して記憶する。
【００６４】
図１２は、文書/筆跡情報記憶部２５に記憶されている電子文書に新たな電子情報を追加する処理(追加処理)を行う場合の画像形成装置４０および文書サーバ２０の動作の一例を示したシーケンス図である。図１２では、電子文書に追加する新たな電子情報の例として、決済処理に用いる認証印の印影に関する電子情報を用いる場合を示した。また、電子文書の文書画像が印刷された媒体の識別情報が画像形成装置４０の画像読取機能部４５によって認識される構成を示した。
図１２に示したように、まず、画像形成装置４０の画像読取機能部４５に文書画像と符号画像とが形成された媒体(ここでは、「文書媒体」と記す)を設置し、画像読取機能部４５により文書媒体上の符号画像から文書媒体の識別情報を読み出す(ステップ４２１)。すなわち、画像読取機能部４５の第２画像読取部４７３にて生成された第２の画像データにより、制御/画像処理ユニット４９０の第２信号処理部４９２が文書媒体に印刷された符号画像から文書媒体の識別情報を認識する(図８、図９参照)。そして、読み出された文書媒体の識別情報は、画像形成装置４０の制御部１３０に送られる。
ここで、画像形成装置４０の外部記憶部１３３(図７参照)には、例えば認証印の印影が印鑑識別情報(以下、「印鑑ＩＤ」という)と対応付けて記憶されている。ユーザは、ステップ４２１における画像読取機能部４５での識別情報の読出処理の後に、決済処理の対象となる文書媒体を画像形成装置４０の用紙収容トレイ１５０に設置する。そして、ユーザは、自身の認証印の印影に対応する印鑑ＩＤを画像形成装置４０の操作入力パネル(不図示)等から入力する。それにより、画像形成装置４０は、文書媒体に印鑑ＩＤに対応する認証印の印影を印刷する(ステップ４２２)。そして、画像形成装置４０の制御部１３０は、通信部１３１を介して文書サーバ２０に対し、文書媒体の識別情報と認証印の印影に関する電子情報とを送信する(ステップ４２３)。
【００６５】
文書サーバ２０では、受信部２１を介して電子文書管理部２３が文書媒体の識別情報と認証印の印影に関する電子情報とを受信する(ステップ２２１)。電子文書管理部２３は、文書媒体の識別情報に対応する電子文書(または複製文書)を文書/筆跡情報記憶部２５から読み出す(ステップ２２２)。そして、電子文書管理部２３は、読み出された電子文書(または複製文書)に認証印の印影に関する電子情報を追加する(ステップ２２３)。さらに、認証印の印影に関する電子情報が追加された新たな電子文書を文書サーバ２０に登録する(ステップ２２４)。
【００６６】
なお、本実施の形態では、文書/筆跡情報記憶部２５から読み出された電子文書(または複製文書)に認証印の印影に関する電子情報を追加し、新たな電子文書として文書サーバ２０に登録した。このような形態の他に、例えば認証印の印影に関する電子情報を記憶する記憶領域を文書/筆跡情報記憶部２５内に別途構成し、この記憶領域に文書媒体の識別情報と関連付けられた認証印の印影に関する電子情報を記憶してもよい。
また、図１２のシーケンス図では、電子文書管理部２３に登録された電子文書に追加する新たな電子情報として、決済処理に用いる認証印の印影を挙げた。しかし、追加される新たな電子情報としては、何れの用途に用いられる文字情報や図形等の画像情報であってもよい。
【００６７】
また図１３は、電子文書に新たな電子情報を追加する追加処理を行う場合の端末装置１０、デジタルペン６０、画像形成装置４０および文書サーバ２０の動作の一例を示したシーケンス図である。図１３では、電子文書に追加する新たな電子情報の例として、決済処理プログラム等のアプリケーションソフトにより、決済処理用の認証印の印影とともに決済処理が行われた日付情報が媒体上に追加印刷される場合を示した。また、電子文書の文書画像が印刷された媒体の識別情報がデジタルペン６０により認識される構成を示した。従って、ここでのデジタルペン６０は、媒体の識別情報を読み取る読取手段として機能する。
【００６８】
図１３に示したように、まず、デジタルペン６０により文書画像と符号画像とが形成された媒体(ここでは、「文書媒体」と記す)をトレースすることで、文書媒体上の符号画像から文書媒体の識別情報を読み出す(ステップ６３１)。そして、デジタルペン６０にて読み出された文書媒体の識別情報を、端末装置５０を介して端末装置１０に送信する(ステップ６３２)。
端末装置１０は、文書媒体の識別情報を受信する(ステップ１３１)。そして、ユーザは、端末装置１０から文書サーバ２０に対して、取得した文書媒体の識別情報に対応する電子文書の送信を要求する(ステップ１３２)。
文書サーバ２０は、受信部２１を介して端末装置１０から電子文書の送信要求を受信する(ステップ２３１)。そして、文書サーバ２０の電子文書管理部２３は、文書媒体の識別情報に基づき、送信要求された電子文書を文書/筆跡情報記憶部２５から読み出す(ステップ２３２)。さらに、文書サーバ２０は、電子文書管理部２３にて読み出した電子文書を端末装置１０に送信する(ステップ２３３)。
【００６９】
端末装置１０は、文書サーバ２０から電子文書を受信する(ステップ１３３)。そして、ユーザは、受信した電子文書を参照して、端末装置１０にて予め起動しておいた所定の決済処理プログラムにより決済処理を行う(ステップ１３４)。その際に、決済処理プログラムの手順に従いながらマウス等のポインティングデバイスを用いて、電子文書に対して決済処理用の認証印を電子的に捺印し、決済処理が行われた日付を記録する(ステップ１３５)。
端末装置１０は、文書サーバ２０および画像形成装置４０に対して、文書媒体の識別情報と、電子文書に記録された決済処理用の認証印の印影に関する電子情報と、決済処理が行われた日付に関する情報(日付情報)とを送信する(ステップ１３６)。
【００７０】
文書サーバ２０では、受信部２１を介して電子文書管理部２３が文書媒体の識別情報と、決済処理用の認証印の印影に関する電子情報と、日付情報とを受信する(ステップ２３４)。電子文書管理部２３は、文書媒体の識別情報に対応する電子文書を文書/筆跡情報記憶部２５から読み出す(ステップ２３５)。そして、電子文書管理部２３は、読み出された電子文書に決済処理用の認証印の印影に関する電子情報と日付情報とを追加する(ステップ２３６)。さらに、認証印の印影に関する電子情報と日付情報とが追加された新たな電子文書を文書サーバ２０に登録する(ステップ２３７)。
【００７１】
一方、画像形成装置４０では、通信部１３１を介して制御部１３０が決済処理用の認証印の印影に関する電子情報と、日付情報とを受信する(ステップ４３１)。ユーザは、決済処理の対象となる文書媒体を画像形成装置４０の用紙収容トレイ１５０に設置する。そして、画像形成装置４０は、ユーザによる画像形成装置４０の操作入力パネル(不図示)等からの所定の操作により、文書媒体に対して決済処理用の認証印と決済処理が行われた日付とを印刷する(ステップ４３２)。
【００７２】
なお、図１３のシーケンス図では、ステップ１３６にて端末装置１０が文書サーバ２０に対して、文書媒体の識別情報と、電子文書に記録された決済処理用の認証印の印影に関する電子情報と、日付情報とを送信する構成とした。その他の構成として、端末装置１０は、画像形成装置４０に対して、文書媒体の識別情報と、電子文書に記録された決済処理用の認証印の印影に関する電子情報と、日付情報とを送信し、ステップ４３２での印刷を実行する。そして、印刷後または印刷前に、画像形成装置４０が文書サーバ２０に対して、文書媒体の識別情報と、電子文書に記録された決済処理用の認証印の印影に関する電子情報と、日付情報とを送信する構成としてもよい。
【００７３】
このように、文書画像と符号画像とが形成された媒体に対して新たに追加印刷された画像が電子情報に基づくものであった場合に、追加された画像等の元となった電子情報を文書/筆跡情報記憶部２５に記憶されている電子文書に追加して記憶する。それにより、媒体上に印刷された文書画像と文書サーバ２０の文書/筆跡情報記憶部２５に記憶された電子文書との一致性が維持される。
【００７４】
[筆跡情報を新たな画像情報と差し替える差替処理]
文書画像と符号画像とが形成された媒体に対して、電子情報に基づかない画像が追加して形成される場合がある。例えば、媒体上に印鑑により人為的に捺印される場合である。また、媒体上にデジタルペン６０以外の一般的なペン等による筆記が行われる場合である。さらには、媒体上に建築や機械等の図面データを出力する装置であるプロッタ等によって文字や図形が描画される場合である。このような場合には、文書サーバ２０の文書/筆跡情報記憶部２５に登録された筆跡情報と、実際の媒体上に形成されている印刷文書とが一致しないこととなる。そこで、本実施の形態の筆跡情報処理システムでは、印刷文書に新たな筆記画像等が追加描画された場合には、文書/筆跡情報記憶部２５に記憶された元の筆跡情報を新たな筆記画像等が追加描画された画像情報に差し替える処理(差替処理)を行う。
【００７５】
図１４は、筆跡情報を新たな筆記画像等が追加描画された画像情報と差し替える差替処理を行う場合の画像形成装置４０および文書サーバ２０の動作の一例を示したシーケンス図である。図１４では、文書画像と符号画像とが形成された媒体(ここでは、「文書媒体」と記す)に対して一般的なペン等による新たな筆記が行われた場合を例示する。
図１４に示したように、まず、ユーザは、画像形成装置４０の画像読取機能部４５に一般的なペン等による新たな筆記が行われた文書媒体を設置する。そして、画像形成装置４０の操作入力パネル(不図示)等から、文書/筆跡情報記憶部２５に記憶された筆跡情報を差し替えることを指示する「差替指示」を入力する(ステップ４４１)。ここでの操作入力パネル(不図示)は、ユーザからの指示入力を受け付ける指示入力受付手段として機能する。それにより、画像読取機能部４５は、文書媒体上の符号画像から文書媒体の識別情報と、文書媒体上から文書媒体に描画された画像を読み出す(ステップ４４２)。そして、差替指示と、文書媒体の識別情報と、文書媒体上に描画された画像に関する情報とは、画像形成装置４０の制御部１３０に送られる。なお、ここでの「一般的なペン等」とは、本実施の形態のデジタルペン６０以外のボールペンや鉛筆等といった識別情報や位置情報を検出しない筆記具一般をいう。
そして、画像形成装置４０の制御部１３０は、通信部１３１を介して文書サーバ２０に対し、差替指示と、文書媒体の識別情報と、文書媒体上に描画された画像に関する情報とを送信する(ステップ４４３)。
【００７６】
文書サーバ２０では、受信部２１を介して筆跡情報管理部２４が差替指示と、文書媒体の識別情報と、文書媒体上に描画された画像に関する情報とを受信する(ステップ２４１)。筆跡情報管理部２４は、差替指示に応じて、文書媒体の識別情報に対応する電子文書と筆跡情報とを文書/筆跡情報記憶部２５から読み出す(ステップ２４２)。そして、筆跡情報管理部２４は、所定の処理により、取得した文書媒体上に描画された画像に関する情報(画像情報)から電子文書に関する画像部分を除去する(ステップ２４３)。筆跡情報管理部２４での電子文書の除去処理は、例えば、画像読取機能部４５にて読み取られた文書媒体上に描画された画像が存在する画素と、電子文書が存在する画素とを比較して、文書媒体上に描画された画像と電子文書とが重複する画素を抽出する。そして、かかる重複画素を除く文書媒体上に描画された画素の画像データから電子文書が存在する画素の画像データを除去することにより行われる。
そして、筆跡情報管理部２４は、文書/筆跡情報記憶部２５に登録された筆跡情報を、電子文書に関する画像部分が除去された文書媒体上に描画された画像に関する情報に差し替える(ステップ２４４)。
【００７７】
このように、文書画像と符号画像とが形成された媒体に新たな筆記画像等(電子情報に基づかない画像)が追加描画された場合には、文書/筆跡情報記憶部２５に記憶された元の筆跡情報を新たな筆記画像等が追加描画された画像情報に差し替える。それにより、媒体上に印刷された文書画像と文書サーバ２０の文書/筆跡情報記憶部２５に記憶された筆跡情報との一致性が維持される。
【００７８】
ところで、本実施の形態の筆跡情報処理システムでは、文書サーバ２０が電子文書や筆跡情報を管理し、識別情報サーバ３０が媒体を一意に識別するための識別情報を生成/管理するように構成した。しかしながら、これらの処理を如何なる装置で行うかについては種々のバリエーションが考えられる。例えば、識別情報を生成/管理する処理は、文書サーバ２０で行ってもよいし、端末装置５０や画像形成装置４０で行ってもよい。
そのため、これらの処理を汎用的な装置としてのコンピュータ９０で行うものとして一般化できる。そこで、文書管理システムを構成する端末装置１０、文書サーバ２０、識別情報サーバ３０、画像形成装置４０の制御部１３０、端末装置５０がコンピュータ９０で構成されるものとして、コンピュータ９０のハードウェア構成について説明する。
【００７９】
ここで図１５は、コンピュータ９０のハードウェア構成を示した図である。
図示するように、コンピュータ９０は、演算手段であるＣＰＵ(Central Processing Unit)９１と、記憶手段であるメインメモリ９２および磁気ディスク装置(ＨＤＤ：Hard Disk Drive)９３とを備える。ここで、ＣＰＵ９１は、ＯＳ(Operating System)やアプリケーション等の各種ソフトウェアを実行し、上述した各機能を実現する。また、メインメモリ９２は、各種ソフトウェアやその実行に用いるデータ等を記憶する記憶領域であり、磁気ディスク装置９３は、各種ソフトウェアに対する入力データや各種ソフトウェアからの出力データ等を記憶する記憶領域である。
さらに、コンピュータ９０は、外部との通信を行うための通信Ｉ/Ｆ９４と、ビデオメモリやディスプレイ等からなる表示機構９５と、キーボードやマウス等の入力デバイス９６とを備える。
【００８０】
なお、本実施の形態を実現するプログラムは、通信手段により提供することはもちろん、ＣＤ−ＲＯＭ等の記録媒体に格納して提供することも可能である。
【００８１】
以上説明したように、本実施の形態の筆跡情報処理システムでは、文書画像と符号画像とが形成された媒体に対して新たに追加印刷された画像が電子情報に基づくものであった場合に、追加された画像等の元となった電子情報を文書/筆跡情報記憶部２５に記憶されている電子文書に追加して記憶する。また、文書画像と符号画像とが形成された媒体に新たな筆記画像等が追加描画された場合には、文書/筆跡情報記憶部２５に記憶された元の筆跡情報を新たな筆記画像等が追加描画された画像情報に差し替える。
それにより、媒体上に印刷された文書画像と文書サーバ２０の文書/筆跡情報記憶部２５に記憶された筆跡情報との一致性が維持される。
【図面の簡単な説明】
【００８２】
【図１】本実施の形態の文書管理システムの構成の一例を示した図である。
【図２】文書サーバの機能構成の一例を示したブロック図である。
【図３】符号画像を構成する画像等の一例を示した図である。
【図４】識別情報サーバの機能構成の一例を示したブロック図である。
【図５】デジタルペンの構成の一例を示した図である。
【図６】制御回路の機能構成の一例を示したブロック図である。
【図７】画像形成装置の構成の一例を示した図である。
【図８】画像読取機能部の構成の一例を示した図である。
【図９】制御/画像処理ユニットの機能構成を示したブロック図である。
【図１０】筆跡情報処理システムにて印刷文書が生成される際の動作の一例を示したシーケンス図である。
【図１１】筆跡情報を生成して文書サーバに登録する際の識別情報サーバおよび文書サーバの動作の一例を示したシーケンス図である。
【図１２】文書/筆跡情報記憶部に記憶されている電子文書に新たな電子情報を追加する追加処理を行う場合の画像形成装置および文書サーバの動作の一例を示したシーケンス図である。
【図１３】電子文書に新たな電子情報を追加する追加処理を行う場合の端末装置、デジタルペン、画像形成装置および文書サーバの動作の一例を示したシーケンス図である。
【図１４】筆跡情報を新たな筆記画像等が追加描画された画像情報と差し替える差替処理を行う場合の画像形成装置および文書サーバの動作の一例を示したシーケンス図である。
【図１５】コンピュータのハードウェア構成を示した図である。
【符号の説明】
【００８３】
１０…端末装置、２０…文書サーバ、２３…電子文書管理部、２４…筆跡情報管理部、２５…文書/筆跡情報記憶部、３０…識別情報サーバ、４０…画像形成装置、４１…画像形成機能部、４５…画像読取機能部、５０…端末装置、６０…デジタルペン
【図１】
0005061916.tif 000002
【図２】
0005061916.tif 000003
【図３】
0005061916.tif 000004
【図４】
0005061916.tif 000005
【図５】
0005061916.tif 000006
【図６】
0005061916.tif 000007
【図７】
0005061916.tif 000008
【図８】
0005061916.tif 000009
【図９】
0005061916.tif 000010
【図１０】
0005061916.tif 000011
【図１１】
0005061916.tif 000012
【図１２】
0005061916.tif 000013
【図１３】
0005061916.tif 000014
【図１４】
0005061916.tif 000015
【図１５】
0005061916.tif 000016